(57)【特許請求の範囲】
【請求項１】
光ファイバ心線とこの光ファイバ心線を挟んでその両側に平行に配置された少なくとも一対の第１抗張力体とをケーブルシースで被覆した長尺の光エレメント部と、第２抗張力体をシースで被覆した長尺のケーブル支持線部とを互いに平行に固着されて成る光ファイバドロップケーブルにおいて、
前記光エレメント部の第１抗張力体を鋼線とし、前記光エレメント部の曲げ剛性を８０〜５００Ｎmm２とすべく前記鋼線の直径を０．１６〜０．３８mmとしてなることを特徴とする光ファイバドロップケーブル。
【請求項２】
光ファイバ心線とこの光ファイバ心線を挟んでその両側に平行に配置された少なくとも一対の第１抗張力体とをケーブルシースで被覆した長尺の光エレメント部と、第２抗張力体をシースで被覆した長尺のケーブル支持線部とを互いに平行に固着されて成る光ファイバドロップケーブルにおいて、
前記光エレメント部の第１抗張力体をアラミド繊維とし、前記光エレメント部の曲げ剛性を８０〜５００Ｎmm２とすべく前記アラミド繊維のヤーン維度を２５００〜１８５００デニールとしてなることを特徴とする光ファイバドロップケーブル。
【請求項３】
光ファイバ心線とこの光ファイバ心線を挟んでその両側に平行に配置された少なくとも一対の第１抗張力体とをケーブルシースで被覆した長尺の光エレメント部と、第２抗張力体をシースで被覆した長尺のケーブル支持線部とを互いに平行に固着されて成る光ファイバドロップケーブルにおいて、
前記光エレメント部の第１抗張力体をエンプラとし、前記光エレメント部の曲げ剛性を８０〜５００Ｎmm２とすべく前記エンプラの直径を０．４８〜１．１５mmとしてなることを特徴とする光ファイバドロップケーブル。
【発明の詳細な説明】
【０００１】
【発明の属する技術分野】
この発明は、光ファイバドロップケーブルに関し、特にクロージャへの収納性を向上せしめた光ファイバドロップケーブルに関する。
【０００２】
【従来の技術】
従来、ＦＴＴＨ（Fiber to the Home）すなわち家庭またはオフィスでも超高速データ等の高速広帯域情報を送受できるようにするために、電話局から延線された光ファイバケーブルが一般住宅などの加入者宅へ光ファイバケーブル心線を引き落とされて、これを配線するために好適な光ファイバドロツプケーブルが用いられている。つまり、光ファイバドロップケーブル（屋外線）は電柱上から家庭内へ光ファイバを引き込む際に用いられるケーブルである。
【０００３】
この種の光ファイバドロップケーブルとしては特開２００１−８３３８５号公報に示されている。すなわち、その光ファイバドロップケーブル１０１の構造は図３に示されているように光ファイバ心線１０３または光ファイバテープ心線の両脇に一対の導電性金属線、例えば鋼線からなる抗張力体１０５が添設されている。これらが一括して熱可塑性樹脂のケーブルシース１０７で被覆されてなる光エレメント部１０９と、金属線、例えば鋼線からなる支持線１１１（テンションメンバ；略してＴＭ）に熱可塑性樹脂シース１１３が被覆されてなるケーブル支持線部１１５と、が互いに平行で且つくびれた首部１１７を介して一体に接続されている。
【０００４】
図４を併せて参照するに、電話局から延線された光ファイバケーブル１１９から各家庭に光ファイバ心線１０３を引き落とす場合は、上記の光ファイバドロップケーブル１０１が使用されて前記ドロップケーブル１０１の両側端部の首部１１７を一部切り裂いて前記光エレメント部１０９とケーブル支持線部１１５とが分離され、この分離された一方のケーブル支持線部１１５の端部１１５Ａが電柱１２１の屋外線引き留め具１２３に固定され、他方の端部１１５Ｂが家屋の一部に引き留め具１２３を介して固定される。
【０００５】
また、前記光エレメント部１０９の一方の端部１０９Ａは電柱１２１上のケーブル分岐箱１２５（ケーブルクロージャ）に接続され、他方の端部１０９Ｂは屋内のＯＥ変換器または成端箱１２７に接続される。
【０００６】
【発明が解決しようとする課題】
上記の光ファイバドロップケーブル１０１がケーブル分岐箱１２５に収納される際には、上述したように光エレメント部１０９からケーブル支持線部１１５が分離され、光エレメント部１０９は曲げたときの反発力が小さくなるようになっている。しかし、光エレメント部１０９は単なる光ファイバ心線１０３と比較すると明らかに収納性が悪いので、ケーブル分岐箱１２５への収納が困難であるという問題点があった。
【０００７】
また、光エレメント部１０９から光ファイバ心線１０３を長く取り出す作業は繁雑であるという問題点があった。
【０００８】
この発明は上述の課題を解決するためになされたもので、その目的は、光エレメント部のケーブルクロージャへの収納作業性を向上せしめた光ファイバドロップケーブルを提供することにある。
【０００９】
【課題を解決するための手段】
上記目的を達成するために請求項１によるこの発明の光ファイバドロップケーブルは、光ファイバ心線とこの光ファイバ心線を挟んでその両側に平行に配置された少なくとも一対の第１抗張力体とをケーブルシースで被覆した長尺の光エレメント部と、第２抗張力体をシースで被覆した長尺のケーブル支持線部とを互いに平行に固着されて成る光ファイバドロップケーブルにおいて、前記光エレメント部の第１抗張力体を鋼線とし、前記光エレメント部の曲げ剛性を８０〜５００Ｎmm２とすべく前記鋼線の直径を０．１６〜０．３８mmとしてなることを特徴とするものである。
【００１０】
したがって、光ファイバドロップケーブルは、光エレメント部の曲げ剛性が８０〜５００Ｎmm２とされることにより、光エレメント部のケーブルクロージャへの収納作業性が良好となり、且つ光エレメント部とケーブル支持線部が分離可能となる。光エレメント部の第１抗張力体が鋼線の場合は、鋼線の直径が０．１６〜０．３８mmとすることにより、曲げ剛性が適正な値となる。
【００１１】
請求項２によるこの発明の光ファイバドロップケーブルは、光ファイバ心線とこの光ファイバ心線を挟んでその両側に平行に配置された少なくとも一対の第１抗張力体とをケーブルシースで被覆した長尺の光エレメント部と、第２抗張力体をシースで被覆した長尺のケーブル支持線部とを互いに平行に固着されて成る光ファイバドロップケーブルにおいて、前記光エレメント部の第１抗張力体をアラミド繊維とし、前記光エレメント部の曲げ剛性を８０〜５００Ｎmm２とすべく前記アラミド繊維のヤーン維度を２５００〜１８５００デニールとしてなることを特徴とするものである。
【００１２】
したがって、光ファイバドロップケーブルは、光エレメント部の曲げ剛性が８０〜５００Ｎmm２とされることにより、光エレメント部のケーブルクロージャへの収納作業性が良好となり、且つ光エレメント部とケーブル支持線部が分離可能となる。光エレメント部の第１抗張力体がアラミド繊維の場合は、アラミド繊維のヤーン維度が２５００〜１８５００デニールとすることにより、曲げ剛性が適正な値となる。
【００１３】
請求項３によるこの発明の光ファイバドロップケーブルは、光ファイバ心線とこの光ファイバ心線を挟んでその両側に平行に配置された少なくとも一対の第１抗張力体とをケーブルシースで被覆した長尺の光エレメント部と、第２抗張力体をシースで被覆した長尺のケーブル支持線部とを互いに平行に固着されて成る光ファイバドロップケーブルにおいて、前記光エレメント部の第１抗張力体をエンプラとし、前記光エレメント部の曲げ剛性を８０〜５００Ｎmm２とすべく前記エンプラの直径を０．４８〜１．１５mmとしてなることを特徴とするものである。
【００１４】
したがって、光ファイバドロップケーブルは、光エレメント部の曲げ剛性が８０〜５００Ｎmm２とされることにより、光エレメント部のケーブルクロージャへの収納作業性が良好となり、且つ光エレメント部とケーブル支持線部が分離可能となる。光エレメント部の第１抗張力体がエンプラの場合は、エンプラの直径が０．４８〜１．１５mmとすることにより、曲げ剛性が適正な値となる。
【００１７】
【発明の実施の形態】
以下、この発明の実施の形態について図面を参照して説明する。
【００１８】
図１を参照するに、この実施の形態に係わる光ファイバドロップケーブル１は、シース３内に光ファイバ単心線または光ファイバテープ心線（以下これらを総称して光ファイバ心線５という）を埋設している長尺の光エレメント部７と、この光エレメント部７に平行にくびれた首部９を介して連続的又は間欠的に一体に固着されてなる長尺のケーブル支持線部１１とから構成されている。
【００１９】
光エレメント部７は、光ファイバ心線５を挟んでその両側に少なくとも一対の長尺の第１抗張力体としての例えば抗張力体１３が平行に配置されており、これらがポリエチレン、ポリ塩化ビニル（ＰＶＣ）等の熱可塑性樹脂のケーブルシース３で被覆され、長尺の光エレメント部７が形成される。
【００２０】
前記抗張力体１３としては、金属線としての例えば鋼線、非導電性の抗張力繊維のケブラー（商標）などのアラミド繊維、エンプラ（エンジニアリングプラスチック）などが用いられる。
【００２１】
また、長尺のケーブル支持線部１１は、上記の長尺の光エレメント部７に対して平行にくびれた首部９を介して一体に接続されて布設される。
【００２２】
また、ケーブル支持線部１１は、第２抗張力体としての例えば支持線１５に熱可塑性樹脂のシース１７が被覆されて構成されている。前記支持線１５は金属線、例えば鋼線からなっている。
【００２３】
以上のような光ファイバドロップケーブル１におけるケーブルクロージャへの収納作業性を向上せしめるための検討を行ったところ、特に光エレメント部７の曲げ剛性を適正なものにすることが重要な要素であることが分かった。
【００２４】
つまり、上記の光エレメント部７の抗張力体１３の材料や外径を変更して種々の光ファイバドロップケーブル１が試作された。これらの種々の試作ケーブル１の光エレメント部７が図２に示されているような曲げ剛性試験機１９を用いてその曲げ剛性が測定されると共に、ケーブルクロージャへの収納性と、ケーブル支持線部１１と光エレメント部７の分離性の比較検討が行われた。
【００２５】
図２を参照するに、曲げ剛性試験機１９としては、定盤２１上に立設された支柱２３をスライダ２５が上下移動調整自在に設けられ、このスライダ２５には押さえ板２７が定盤２１の上面とほぼ平行に延伸されている。定盤２１上にはロードセル式天秤２９が載置され、このロードセル式天秤２９の上面と上記の押さえ板２７の下面との間に測定すべき光ファイバドロップケーブル１の光エレメント部７が曲げられた状態で予め設定された曲げ間隔（Ｄ）で挟み込まれるように構成されている。
【００２６】
曲げ剛性試験方法としては、光エレメント部７の試料長が１５０mmであり、上記の曲げ間隔（Ｄ）が３０mmの状態に保持され、１分経過後の反力（Ｗ）がロードセル式天秤２９により測定される。光エレメント部７の曲げ剛性は次式により算出される。
【００２７】
曲げ剛性（ＥＩ）＝０．３４８３ＷＤ２
上記の測定が少なくとも５回行われ、それぞれの曲げ剛性の算出値の平均が測定値として採用される。
【００２８】
表１，表２，表３に示される種々の試作ケーブル１について、上記の曲げ剛性試験方法により曲げ剛性が測定され、ケーブルクロージャへの収納性と、ケーブル支持線部１１と光エレメント部７の分離性が比較検討された。
【００２９】
表１は、光エレメント部７の抗張力体１３（テンションメンバ；ＴＭ）として鋼線が用いられた場合を示すものである。
【００３０】
【表１】
0004627941.tif 000002
表２は、抗張力体１３（ＴＭ）としてケブラー（アラミド繊維）が用いられた場合を示すものである。
【００３１】
【表２】
0004627941.tif 000003
表３は、抗張力体１３（ＴＭ）として弾性率２００００N/mm２のエンプラが用いられた場合を示すものである。
【００３２】
【表３】
0004627941.tif 000004
以上の実験により、この実施の形態の光ファイバドロップケーブル１としては、光エレメント部７の曲げ剛性が８０Ｎmm２以下にされると、ケーブル支持線部１１と光エレメント部７を分離する時に光ファイバ心線５が破断することが確認された。結果としては、光エレメント部７の曲げ剛性が８０〜５００Ｎmm２、好ましくは１００〜４００Ｎmm２とされることにより、ケーブルクロージャへの収納性が良好であり、且つケーブル支持線部１１と光エレメント部７が分離可能となる。
【００３３】
また、第１抗張力体１３（ＴＭ）としては、鋼線の直径は０．１６〜０．３８mmとし、アラミド繊維のヤーン維度の直径は２５００〜１８５００デニール（ｄ）とし、エンプラの直径は０．４８〜１．１５ｍｍとすることにより、光エレメント部７の曲げ剛性が上記の８０〜５００Ｎｍｍ２の適正な値となることが分かる。
【００３４】
なお、この発明は前述した実施の形態に限定されることなく、適宜な変更を行うことによりその他の態様で実施し得るものである。
【００３５】
【発明の効果】
以上のごとき発明の実施の形態の説明から理解されるように、請求項１の発明によれば、光エレメント部の曲げ剛性を８０〜５００Ｎｍｍ２とすることにより、光エレメント部のケーブルクロージャへの収納作業性を良好とし、且つ光エレメント部とケーブル支持線部を分離可能な光ファイバドロップケーブルを提供できる。
【００３６】
請求項２の発明によれば、光エレメント部の第１抗張力体が鋼線の場合は、鋼線の直径を０．１６〜０．３８ｍｍとすることにより、曲げ剛性を適正な値にできる。
【００３７】
請求項３の発明によれば、光エレメント部の第１抗張力体がアラミド繊維の場合は、アラミド繊維のヤーン維度を２５００〜１８５００デニールとすることにより、曲げ剛性を適正な値にできる。
【００３８】
請求項４の発明によれば、光エレメント部の第１抗張力体がエンプラの場合は、エンプラの直径を０．４８〜１．１５ｍｍとすることにより、曲げ剛性を適正な値にできる。
【図面の簡単な説明】
【図１】この発明の実施の形態の光ファイバドロップケーブルの断面図である。
【図２】光ファイバドロップケーブルの光エレメント部の曲げ剛性試験機を示す概略説明図である。
【図３】従来の光ファイバドロップケーブルの概略的な断面図である。
【図４】従来におけるケーブルの実施状況を示す説明図である。
【符号の説明】
１  光ファイバドロップケーブル
３  シース
５  光ファイバ心線
７  光エレメント部
９  首部
１１  ケーブル支持線部
１３  抗張力体（第１抗張力体）
１５  支持線（第２抗張力体）
１７  シース
１９  曲げ剛性試験機
２１  定盤
２３  支柱
２５  スライダ
２７  押さえ板
２９  ロードセル式天秤
【図１】
0004627941.tif 000005
【図２】
0004627941.tif 000006
【図３】
0004627941.tif 000007
【図４】
0004627941.tif 000008